(57)【要約】【課題】容器を前面扉と共に引き出し収納する冷蔵庫において、この引き出しを通常使用の第１引き出し位置と、更に一定長さ引き出して容器への物品の出し入れをし易く、且つレール部の形成に適した構成とする。【解決手段】扉の支持装置は、左右の支持部材と貯蔵室の左右側壁前部の固定側ローラと、貯蔵室の左右側壁の前後方向レールを備え、支持部材は、容器を支持する左右の第１支持レール部材に前後移動可能に組み合わされた第２支持レール部材と、第２支持レール部材の前後移動に伴って前後方向レール上を転動する可動側ローラを備え、第２支持レール部材はストッパ部が固定側ローラに当接する第１引き出し位置で停止し、この位置から第１支持レール部材が更に引き出され、前後方向レールとその上方に補助レール部を一体形成した合成樹脂製のレール部材を貯蔵室の左右側壁に取り付けたこと。【選択図】図３
2008138935.tif 000002
【特許請求の範囲】
【請求項１】
冷蔵庫本体に形成した貯蔵室の前面開口を開閉するように支持装置によって前後方向へ引き出し押し込み可能に支持された引き出し式扉と、この扉の引き出し押し込みに伴って前記貯蔵室に前後方向に引き出し収納される上面開口の容器を備え、前記支持装置は、前記扉から前記貯蔵室の左右側壁に沿って前後方向へ延びる左右の支持部材１１と、前記貯蔵室の左右側壁の前部に設けた固定側ローラ１２と、前記貯蔵室の左右側壁に前後方向レール１３とこれに対向するようにその上方に位置する補助レール部１３Ａを備え、前記左右の支持部材１１は、前記容器３０の左右側部を支持するように前記扉４Ｄに支持された左右の第１支持レール部材１１Ａと、この左右の第１支持レール部材１１Ａにそれぞれ前後移動可能に組み合わされた左右の第２支持レール部材１１Ｂと、前記第１支持レール部材１１Ａと前記第２支持レール部材１１Ｂとに亘るコイルスプリング１４と、前記第２支持レール部材１１Ｂの前後移動に伴って前記前後方向レール１３上を転動する可動側ローラ１６と、前記扉の第１の引き出し位置において前記第２支持レール部材１１Ｂの引き出しを停止するよう前記固定側ローラ１２に当接するストッパ部１７を備え、前記第１の引き出し位置で停止した前記第２支持レール部材１１Ｂから前記第１支持レール部材１１Ａが更に引き出される関係にあり、前記可動側ローラ１６の直径よりも若干大きな間隔をもって、前記前後方向レール１３と前記補助レール部１３Ａを一体形成した合成樹脂製のレール部材２８が前記貯蔵室の左右側壁に取り付けられたことを特徴とする冷蔵庫。
【請求項２】
冷蔵庫本体に形成した貯蔵室の前面開口を開閉するように支持装置によって前後方向へ引き出し押し込み可能に支持された引き出し式扉と、この扉の引き出し押し込みに伴って前記貯蔵室に前後方向に引き出し収納される上面開口の容器を備え、前記支持装置は、前記扉から前記貯蔵室の左右側壁に沿って前後方向へ延びる左右の支持部材１１と、前記貯蔵室の左右側壁の前部に設けた固定側ローラ１２と、前記貯蔵室の左右側壁に前後方向レール１３とこれに対向するようにその上方に位置する補助レール部１３Ａを備え、前記貯蔵室の左右側壁に設けた前後方向レール１３を備え、前記左右の支持部材１１は、左右の第１支持レール部材１１Ａと、この左右の第１支持レール部材１１Ａにそれぞれ前後移動可能に組み合わされた左右の第２支持レール部材１１Ｂと、前記第１支持レール部材１１Ａと前記第２支持レール部材１１Ｂとに亘るコイルスプリング１４を備え、前記第１支持レール部材１１Ａは、前記容器３０の左右側部を支持するように前記扉４Ｄに取り付けられて後方へ延びる左右の容器支持腕の外側面に取り付けられ、前記第２支持レール部材１１Ｂは、後部に前後方向レール１３上を転動する可動側ローラ１６を備え前記固定側ローラ１２に載置される保持基材１７の内側面に取り付けられ、保持基材１７の下側に扉の引き出し位置において前記固定側ローラ１２に当接するストッパ部１７を備え、前記コイルスプリング１４は、後端部が第２支持レール部材１１Ｂに取り付けられ前端部に係止ピン１８を備え、前記第２支持レール部材１１Ｂは、前記係止ピン１８がコイルスプリング１４の伸長に伴って移動するガイド溝１９と、このガイド溝１９の前端部に係止ピン１８を係止する係止凹部２０を備え、前記第１支持レール部材１１Ａは、前記係止ピン１８を係止する上面開口の係止溝２１と、前記係止凹部２０に係止している係止ピン１８を係止凹部２０から外すための復帰傾斜部２２を前記係止溝２１の上面開口に対向して形成し、前記復帰傾斜部２２から後方へ延びた係止ピン１８用逃げ溝２３を形成し、前記扉は、前記ストッパ部が前記固定側ローラに当接して前記第２支持レール部材１１Ｂが停止する第１の引き出し位置と、前記第１支持レール部材１１Ａと共にこの第１の引き出し位置から前記コイルスプリングの伸長を伴い前記ピンが前記係止溝から外れて前記係止凹部に係止して前記コイルスプリングの復帰力から解除される第２の引き出し位置へ引き出し可能であり、前記可動側ローラ１６の直径よりも若干大きな間隔をもって、前記前後方向レール１３と前記補助レール部１３Ａを一体形成した合成樹脂製のレール部材２８が前記貯蔵室の左右側壁に取り付けられたことを特徴とする冷蔵庫。
【発明の詳細な説明】
【技術分野】
【０００１】
本発明は、冷蔵庫本体内に収納する容器を前面扉と共に引き出し収納可能とした冷蔵庫に関する。
【背景技術】
【０００２】
冷蔵庫本体の貯蔵室内に収納する容器を前面扉と共に引き出し収納可能とした冷蔵庫がある。これは、前面扉に取り付けた左右の支持部材６Ａの後部にローラ７３が取り付けられ、このローラ７３は、貯蔵室の左右側壁に形成した前後方向レール７２に載置されている。貯蔵室の左右側壁の前部には、左右の支持部材６Ａの下部フランジ６Ａ１が載置されるローラ７４が取り付けられている。この構成において、左右の支持部材６Ａに載置された上面開口の容器７は、前面扉８の引き出し収納によって、貯蔵室に対して引き出し収納される。（例えば、特許文献１）。
【特許文献１】特開２００６−１８９２２４号公報
【発明の開示】
【発明が解決しようとする課題】
【０００３】
特許文献１のものは、左右の支持部材６Ａに載置された上面開口の容器７は、前面扉８の引き出し収納によって、貯蔵室に対して引き出し収納されるが、その引き出し長さは一定であり、例えば、大きな西瓜等の出し入れにおいては、上方の扉や仕切り壁が邪魔になって、その出し入れがし難いものであった。
【０００４】
本発明は、この引き出し長さを、更に長くできるようにして、容器に対する大きな西瓜等の出し入れもし易くするものである。特に、この引き出しを通常使用に差し支えない第１引き出し位置で一端ストップさせて冷気もれを抑制し、大きな西瓜等の出し入れにおいては、その位置から更に安定状態が保たれる範囲において、一定長さ引き出せるようにして、容器の上面開口が冷蔵庫の前方へ大きく開口した状態に引き出して、容器に対する物品の出し入れをし易くするものである。
【０００５】
本発明は、更に、引き出しが安定した状態で行なえるようにするために、引き出しによって前方へ移動する可動ローラを安定状態に維持するための前後方向レールとこれに並行な補助レール部を一体形成した合成樹脂製のレール部材が、貯蔵室の左右側壁に取り付けられる構成とすることによって、種々の貯蔵室の左右側壁に合わせた安定維持構造が達成できる構成を提供するものである。
【課題を解決するための手段】
【０００６】
第１の発明は、冷蔵庫本体に形成した貯蔵室の前面開口を開閉するように支持装置によって前後方向へ引き出し押し込み可能に支持された引き出し式扉と、この扉の引き出し押し込みに伴って前記貯蔵室に前後方向に引き出し収納される上面開口の容器を備え、前記支持装置は、前記扉から前記貯蔵室の左右側壁に沿って前後方向へ延びる左右の支持部材１１と、前記貯蔵室の左右側壁の前部に設けた固定側ローラ１２と、前記貯蔵室の左右側壁に前後方向レール１３とこれに対向するようにその上方に位置する補助レール部１３Ａを備え、前記左右の支持部材１１は、前記容器３０の左右側部を支持するように前記扉４Ｄに支持された左右の第１支持レール部材１１Ａと、この左右の第１支持レール部材１１Ａにそれぞれ前後移動可能に組み合わされた左右の第２支持レール部材１１Ｂと、前記第１支持レール部材１１Ａと前記第２支持レール部材１１Ｂとに亘るコイルスプリング１４と、前記第２支持レール部材１１Ｂの前後移動に伴って前記前後方向レール１３上を転動する可動側ローラ１６と、前記扉の第１の引き出し位置において前記第２支持レール部材１１Ｂの引き出しを停止するよう前記固定側ローラ１２に当接するストッパ部１７を備え、前記第１の引き出し位置で停止した前記第２支持レール部材１１Ｂから前記第１支持レール部材１１Ａが更に引き出される関係にあり、前記可動側ローラ１６の直径よりも若干大きな間隔をもって、前記前後方向レール１３と前記補助レール部１３Ａを一体形成した合成樹脂製のレール部材２８が前記貯蔵室の合成樹脂製内箱の左右側壁に取り付けられたことを特徴とする。
【０００７】
第２の発明は、冷蔵庫本体に形成した貯蔵室の前面開口を開閉するように支持装置によって前後方向へ引き出し押し込み可能に支持された引き出し式扉と、この扉の引き出し押し込みに伴って前記貯蔵室に前後方向に引き出し収納される上面開口の容器を備え、前記支持装置は、前記扉から前記貯蔵室の左右側壁に沿って前後方向へ延びる左右の支持部材１１と、前記貯蔵室の左右側壁の前部に設けた固定側ローラ１２と、前記貯蔵室の左右側壁に前後方向レール１３とこれに対向するようにその上方に位置する補助レール部１３Ａを備え、前記貯蔵室の左右側壁に設けた前後方向レール１３を備え、前記左右の支持部材１１は、左右の第１支持レール部材１１Ａと、この左右の第１支持レール部材１１Ａにそれぞれ前後移動可能に組み合わされた左右の第２支持レール部材１１Ｂと、前記第１支持レール部材１１Ａと前記第２支持レール部材１１Ｂとに亘るコイルスプリング１４を備え、前記第１支持レール部材１１Ａは、前記容器３０の左右側部を支持するように前記扉４Ｄに取り付けられて後方へ延びる左右の容器支持腕の外側面に取り付けられ、前記第２支持レール部材１１Ｂは、後部に前後方向レール１３上を転動する可動側ローラ１６を備え前記固定側ローラ１２に載置される保持基材１７の内側面に取り付けられ、保持基材１７の下側に扉の引き出し位置において前記固定側ローラ１２に当接するストッパ部１７を備え、前記コイルスプリング１４は、後端部が第２支持レール部材１１Ｂに取り付けられ前端部に係止ピン１８を備え、前記第２支持レール部材１１Ｂは、前記係止ピン１８がコイルスプリング１４の伸長に伴って移動するガイド溝１９と、このガイド溝１９の前端部に係止ピン１８を係止する係止凹部２０を備え、前記第１支持レール部材１１Ａは、前記係止ピン１８を係止する上面開口の係止溝２１と、前記係止凹部２０に係止している係止ピン１８を係止凹部２０から外すための復帰傾斜部２２を前記係止溝２１の上面開口に対向して形成し、前記復帰傾斜部２２から後方へ延びた係止ピン１８用逃げ溝２３を形成し、前記扉は、前記ストッパ部が前記固定側ローラに当接して前記第２支持レール部材１１Ｂが停止する第１の引き出し位置と、前記第１支持レール部材１１Ａと共にこの第１の引き出し位置から前記コイルスプリングの伸長を伴い前記ピンが前記係止溝から外れて前記係止凹部に係止して前記コイルスプリングの復帰力から解除される第２の引き出し位置へ引き出し可能であり、前記可動側ローラ１６の直径よりも若干大きな間隔をもって、前記前後方向レール１３と前記補助レール部１３Ａを一体形成した合成樹脂製のレール部材２８が前記貯蔵室の合成樹脂製内箱の左右側壁に取り付けられたことを特徴とする。
【発明の効果】
【０００８】
第１の発明は、前面扉と容器の引き出しを通常使用に差し支えない第１引き出し位置で一端ストップさせて冷気漏れを抑制している。そして、大きな西瓜等の出し入れにおいては、その位置から更に安定状態が保たれる範囲において、コイルスプリングの伸長を伴って一定長さまで引き出し操作がスムースに行えるようにし、容器の上面開口が冷蔵庫の前方へ大きく開口した状態に引き出して、容器に対する物品の出し入れをし易くしている。
【０００９】
また、第１の引き出し位置から第２の引き出し位置へ移行するまで、第１支持レール部材と第２支持レール部材とに亘るコイルスプリングの作用状態を受け、第２の引き出し位置への移行によって、コイルスプリングによる引っ張りが解除されるため、第１の引き出し位置から第２の引き出し位置への移行をスムースに行なえる。
【００１０】
更に、前後方向レール１３と補助レール部１３Ａは、可動側ローラ１６の直径よりも若干大きな間隔をもって、合成樹脂製のレール部材２８に一体形成され、これが貯蔵室の左右側壁に取り付けられるため、前後方向レール１３と補助レール部１３Ａの形成が容易であると共に、種々の貯蔵室の左右側壁に合わせることが容易となり、引き出し式扉に適用が容易となる。
【００１１】
第２の発明は、第１の発明の効果に加えて、保持基材に対する第２支持レール部材１１Ｂの取り付け位置を冷蔵庫の種類に応じて調整することによって、各種の冷蔵庫の形態に適用できるものとなり、汎用性に富むものとなる。
【００１２】
更に、第１支持レール部材は前面扉に取り付けた左右の容器支持腕の外側面に取り付けられ、この左右の容器支持腕に容器の左右側部を支持するため、第１支持レール部材に直接容器を載置する場合に比して容器の形状に合った支持構造にし易いものとなる。また、第２支持レール部材は、固定側ローラに載置される保持基材の内側面に取り付けられるため、固定側ローラが安定に転動する面の形成に適すると共に、可動側ローラを備えることによって、荷重を受ける部分の強度を保つ構成に適した構成となる。
【発明を実施するための最良の形態】
【００１３】
本発明は、冷蔵庫本体に形成した貯蔵室の前面開口を開閉するように支持装置によって前後方向へ引き出し押し込み可能に支持された引き出し式扉と、この扉の引き出し押し込みに伴って前記貯蔵室に前後方向に引き出し収納される上面開口の容器を備え、前記支持装置は、前記扉から前記貯蔵室の左右側壁に沿って前後方向へ延びる左右の支持部材１１と、前記貯蔵室の左右側壁の前部に設けた固定側ローラ１２と、前記貯蔵室の左右側壁に前後方向レール１３とこれに対向するようにその上方に位置する補助レール部１３Ａを備え、前記左右の支持部材１１は、前記容器３０の左右側部を支持するように前記扉４Ｄに支持された左右の第１支持レール部材１１Ａと、この左右の第１支持レール部材１１Ａにそれぞれ前後移動可能に組み合わされた左右の第２支持レール部材１１Ｂと、前記第２支持レール部材１１Ｂの前後移動に伴って前記前後方向レール１３上を転動する可動側ローラ１６と、前記扉の第１の引き出し位置において前記第２支持レール部材１１Ｂの引き出しを停止するよう前記固定側ローラ１２に当接するストッパ部１７を備え、前記第１の引き出し位置で停止した前記第２支持レール部材１１Ｂから前記第１支持レール部材１１Ａが更に引き出される関係にあり、前記可動側ローラ１６の直径よりも若干大きな間隔をもって、前記前後方向レール１３と前記補助レール部１３Ａを一体形成した合成樹脂製のレール部材２８が前記貯蔵室の合成樹脂製内箱の左右側壁に取り付けられたことを特徴とするものであり、本発明の実施例を以下に記載する。
【実施例１】
【００１４】
次に、本発明の実施形態について説明する。図１は本発明に係る冷蔵庫の正面図、図２は本発明に係る冷蔵庫の野菜室部分の分解斜視図、図３は本発明に係る引き出し装置が第２引き出し位置から第３引き出し位置へ向かう途中状態を示す斜視図、図４は本発明に係る引き出し装置の動作状態説明図であり、（Ａ）は第１引き出し位置の状態図、（Ｂ）は第１引き出し位置から第２引き出し位置へ向けて引き出した状態図、（Ｃ）は第３引き出し位置の状態図、図５は本発明に係る第１支持レール部材と第２支持レール部材１１Ｂの組み合わせ状態図、図６は本発明に係る支持装置の図４（Ｂ）のＭ１相当の第２引き出し位置における断面図、図７は本発明に係る支持装置の図４（Ａ）のＭ２相当の断面図、図８は本発明に係る冷蔵庫の扉を第１位置まで引き出した状態を説明する側面図、図９は本発明に係る冷蔵庫の扉を第２引き出し位置または第３引き出し位置まで引き出した状態を説明する側面図である。
【００１５】
図において、１は本発明の冷蔵庫であり、冷凍室を備えた冷凍冷蔵庫の形態を示している。冷蔵庫１は、前面開口の冷蔵庫本体２内を仕切り壁にて区画して複数の貯蔵室を形成しており、これら各貯蔵室の前面は扉で開閉できる構成である。具体的には、冷蔵庫本体２は、外箱（外壁板）２Ａと合成樹脂製内箱（内壁板）２Ｂとの間に発泡断熱材２Ｃを充填した断熱構造であり、冷蔵庫本体２内の各貯蔵室として、上部に前面開口の冷蔵室３、その下方に冷凍温度室として機能する前面開口の小さい冷凍室５Ｓと前面開口の製氷室６が横並びに設けられ、その下方に前面開口の大きい冷凍室５Ｂが設けられ、その下方に断熱仕切り壁９にて仕切られた野菜室４が配置された構成である。
【００１６】
冷蔵室３の前面開口は、冷蔵庫本体２の一側部にヒンジ装置にて横方向に回動する回動式の冷蔵室扉３Ｄにて開閉される。野菜室４の前面開口は、支持装置１０によって前後方向へ引き出し押し込み可能に支持された引き出し式扉４Ｄにて開閉され、この扉４Ｄの引き出し押し込みに伴って貯蔵室の一つである野菜室４に前後方向に引き出し収納される上面開口の容器３０が、支持装置１０によって支持された構成である。
【００１７】
冷凍室５Ｓと製氷室６の前面開口は、それぞれ別個の扉７、６Ａで閉じられるように構成している。この場合、冷凍室５Ｓは野菜室４と同様の支持装置１０によって、容器が支持され、扉７を引き出すことによって、この容器が扉７と共に前方へ引き出される引き出し式である。また、製氷室６も野菜室４と同様の支持装置１０によって、貯氷容器が支持され、扉６Ａを引き出すことによって、この貯氷容器が扉６Ａと共に前方へ引き出される引き出し式である。また、冷凍室５Ｂも野菜室４と同様の支持装置１０によって容器が支持され、冷凍室５Ｂの前面開口を開閉する扉８を引き出すことによって、この支持部材に載置した容器が扉８と共に前方へ引き出される引き出し式の構成である。
【００１８】
冷蔵庫１は、電動圧縮機で圧縮した冷媒が凝縮器で凝縮し、減圧装置を通って蒸発器（冷却器）で蒸発した後、再び電動圧縮機で圧縮される循環の冷凍装置を冷蔵庫本体２に備えている。各冷蔵室３、野菜室４、冷凍室５Ｓ、冷凍室５Ｂ、及び製氷室６は、前記蒸発器（冷却器）で冷却された冷気が送風機によって循環されて、所定温度に冷却される。
【００１９】
支持装置１０の構成について野菜室４を基にして説明する。支持装置１０は、扉４Ｄから野菜室４の左右側壁に沿って前後方向へ延びる左右の支持部材１１と、野菜室４の左右側壁の前部に設けた固定側ローラ１２（固定側ストッパ部）と、野菜室４の左右側壁に設けた前後方向レール１３を備えている。そして、左右の支持部材１１は、左右の第１支持レール部材１１Ａと、この左右の第１支持レール部材１１Ａにそれぞれ前後移動可能に組み合わされた左右の第２支持レール部材１１Ｂと、それぞれの第１支持レール部材１１Ａと第２支持レール部材１１Ｂとに亘るコイルスプリング１４を備えている。左右の第１支持レール部材１１Ａの上辺１１ＡＵと下辺１１ＡＤと、これに対応する左右の第２支持レール部材１１Ｂの上辺１１ＢＵと下辺１１ＢＤとの間に、直線状に複数のボールベアリング２６が配列され、これによって、第２支持レール部材１１Ｂに対して第１支持レール部材１１Ａが引き出し押し込み自在に組み合わされている。
【００２０】
前後方向レール１３は、野菜室４の左右側壁を形成する内箱２Ｂに一体形成したままの状態でもよいが、容器３０内に収納する物品重量や扉４Ｄの重量等に耐えられるようにするために、野菜室４の左右側壁を形成する合成樹脂製内箱２Ｂの内面に、前後方向レール１３を形成する合成樹脂製のレール部材２８をネジ等によって取り付けている。
【００２１】
扉４Ｄの引き出しと押し込みによって、前後方向レール１３上を可動側ローラ１６が転動するとき、及び後述の第１の引き出し位置、第２の引き出し位置または第３の引き出し位置において、扉４Ｄと容器３０、更にはこの容器３０内の収納物品の荷重によって、可動側ローラ１６が浮き上がり、可動側ローラ１６が前後方向レール１３上から脱落しないように、また扉４Ｄが下方へ下がり過ぎないようにするために、レール部材２８には、前後方向レール１３の上方に前後方向レール１３に対向して、可動側ローラ１６の直径よりも若干大きな間隔をもって、補助レール部１３Ａを前後方向レール１３に並行に一体形成している。このため、可動側ローラ１６は、前後方向レール１３と補助レール部１３Ａとの間に形成される前後方向溝を前後方向移動することとなる。
【００２２】
第１支持レール部材１１Ａは、扉４Ｄから後方へ延びる左右の容器支持腕１５の外側面に取り付けられている。左右の容器支持腕１５は、前端部が扉４Ｄにネジにて取り付けられており、容器３０の左右側部に形成したフランジ３０Ａを支持する。左右の第２支持レール部材１１Ｂは、保持基材１７の内側面にネジにて取り付けられ、保持基材１７の下側のレール部１７Ａが、固定側ローラ１２に載置される。保持基材１７は後端部に前後方向レール１３上を転動する可動側ローラ１６を備えている。
【００２３】
扉４Ｄの引き出し位置を制限するように、固定側ローラ１２に当接する可動側ストッパ部１７Ｐが、可動側ローラ１６よりも前方位置において保持基材１７の下側のレール部１７Ａに設けられている。コイルスプリング１４は、第２支持レール部材１１Ｂの暗渠ＡＫ内に配置されて、後端部が第２支持レール部材１１Ｂに取り付けられ、前端部に係止ピン１８を備えている。第２支持レール部材１１Ｂは、この係止ピン１８がコイルスプリング１４の伸長に伴って移動するガイド溝１９と、このガイド溝１９の前端部に係止ピン１８を係止する係止凹部２０を形成している。
【００２４】
第１支持レール部材１１Ａは、係止ピン１８を係止する上面開口の係止溝２１と、係止凹部２０に係止している係止ピン１８を係止凹部２０から外すために、係止溝２１の上面開口に対向した復帰傾斜部２２を形成し、更に、この復帰傾斜部２２から後方へ延びた係止ピン１８用逃げ溝２３を形成している。
【００２５】
扉４Ｄが野菜室４の前面開口を閉じた状態において、保持基材１７の下側のレール部１７Ａが固定側ローラ１２に載置され、可動側ローラ１６が前後方向レール１３上にある。レール部１７Ａに前端部は、前方へ高い傾斜面１７Ｋを形成しており、扉４Ｄが野菜室４の前面開口を閉じるとき、固定側ローラ１２がこの傾斜面１７Ｋの前端部に位置するように転動するため、扉４Ｄが野菜室４の前面開口を閉じる方向の作用力が働き、扉４Ｄが野菜室４の前面開口を確実に閉じることができる。
【００２６】
また、扉４Ｄが野菜室４の前面開口を閉じた状態において、係止ピン１８が係止溝２１に係合した状態で、コイルスプリング１４は収縮しており、コイルスプリング１４によって、第２支持レール部材１１Ｂに対して第１支持レール部材１１Ａが後方へ引っ張られた状態であるため、係止ピン１８がガイド溝１９の後部（図では後端部）に位置している。
【００２７】
この状態から扉４Ｄが引き出されることに伴って、コイルスプリング１４で結合された第１支持レール部材１１Ａと第２支持レール部材１１Ｂが共に引き出されて、ストッパ部１７が固定側ローラ１２に当接して第２支持レール部材１１Ｂの前方移動が停止し、冷蔵庫本体２の前端部２Ｔから扉４Ｄまでの距離Ｌ１の長さの第１の引き出し位置（図８）となる。この第１の引き出し位置は従来の引き出し位置である。更に、この状態から扉４Ｄを引き出すことによって、停止している第２支持レール部材１１Ｂに対して、第１支持レール部材１１Ａがコイルスプリング１４の伸長を伴って第２の引き出し位置まで引き出される。これによって、冷蔵庫本体２の前端部２Ｔから扉４Ｄまでの距離がＬ１より大となる第２の引き出し位置（例えば、図９のように引き出された状態）となる。第２の引き出し位置まで引き出されることによって、係止ピン１８は、コイルスプリング１４の復帰力によって係止溝２１から外れて係止凹部２０に係止し、第１支持レール部材１１Ａと扉４Ｄはコイルスプリング１４の復帰力から解除される。
【００２８】
この第２の引き出し位置で、扉４Ｄの引き出しを停止させるためのストッパ装置Ｐを第２支持レール部材１１Ｂと第１支持レール部材１１Ａとに設けることができる。このストッパ装置Ｐは、例えば、第２支持レール部材１１Ｂの突部Ｐ２と第１支持レール部材１１Ａの突部Ｐ１とが係合する関係に形成すればよい。この第２の引き出し位置まで扉４Ｄが引き出されることによって、第１の引き出し位置で停止していた従来の引き出し長さが延長されるため、容器３０の上面開口が冷蔵庫本体２の前端部２Ｔの前面へ大きく開放され、容器３０に対する野菜や食品の出し入れがし易くなる。
【００２９】
また、この第２の引き出し位置よりも更に前方へ扉４Ｄを引き出すようにすることができる。この場合は、前記ストッパ装置Ｐの位置を上記よりも更に前方位置ＰＰに設けることによって、係止凹部２０に係止した係止ピン１８が、係止ピン１８用逃げ溝２３を後方へ移動する関係でもって、第２の引き出し位置を越えて扉４Ｄを前方の第３の引き出し位置（図９）まで引き出すことができる。これによって、冷蔵庫本体２の前端部２Ｔから扉４Ｄまでの距離Ｌ２の長さ（Ｌ１より大）の第３の引き出し位置（図９）となる。そして、第３の引き出し位置において、第２支持レール部材１１Ｂの突部Ｐ２２と第１支持レール部材１１Ａの突部Ｐ１とが係合するストッパ装置ＰＰによって、扉４Ｄの引き出しが停止される。これによって、第２の引き出し位置まで扉４Ｄが引き出されて、その第２の引き出し位置で停止していたものよりも、引き出し長さが更に延長され、るため、容器３０の上面開口全体が冷蔵庫本体２の前面に大きく開放され、容器３０に対する野菜や食品の出し入れが、更にし易くなる。
【００３０】
第２の引き出し位置または第３の引き出し位置（図９）へ引き出された扉４Ｄを押し込むことによって、第２の引き出し位置からの復帰工程において、係止凹部２０に係止した係止ピン１８が復帰傾斜部２２に当接しつつスライドして、係止ピン１８が係止凹部２０から外れて、再び係止溝２１に係合した状態へ移行する。このため、係止ピン１８を介してコイルスプリング１４の復帰力によって、第１支持レール部材１１Ａが後方へ引っ張られて移動し、係止ピン１８がガイド溝１９の後部（図では後端部）に位置する状態に復帰する。このため、再び前面扉を引き出す際の安定動作が得られるものとなる。
【００３１】
この復帰位置において、なおコイルスプリング１４の復帰力が作用している状態（これを「残存状態」と称することとする）に維持するように、ストッパ装置Ｑを第２支持レール部材１１Ｂと第１支持レール部材１１Ａとに設けることができる。このストッパ装置Ｑは、例えば、第２支持レール部材１１Ｂの突部Ｑ２（図では暗渠ＡＫの先端部）と第１支持レール部材１１Ａの突部Ｐ１とが係合する関係に形成すればよい。野菜室４の前面開口を扉４Ｄが閉じた状態で、この残存状態が作用することによって、扉４Ｄが野菜室４の前面開口周縁に向けて付勢され続けるため、扉４Ｄが野菜室４の前面開口を確実に閉じる状態を維持できる。
【００３２】
上記の引き出し操作における第１の引き出し位置、第２の引き出し位置、または第３の引き出し位置において、扉４Ｄ、容器３０、容器３０内の収容物等の重量によって、扉４Ｄが固定側ローラを支点として下方へ下がるとき、可動側ローラ１６が補助レール部１３Ａに当接して、その下がりを制限して、扉４Ｄと容器３０を安定状態に維持することができる。
【００３３】
また、保持基材１７を含む左右の第２支持レール部材１１Ｂの間隔が狭まって、可動側ローラ１６が前後方向レール１３から外れることがないように、また、保持基材１７を含む左右の第２支持レール部材１１Ｂの間隔が広がって、野菜室４の側壁に衝突して引き出し障害とならないようにするために、左右の保持基材１７または左右の第２支持レール部材１１Ｂ相互間隔を一定に保持する保持棒２４が設けられている。
【００３４】
上記の構成によって、第１の引き出し位置は、通常使用に差し支えない引き出し位置であり、この位置で引き出しを一端ストップさせている。この第１の引き出し位置は、容器３０の上面開口の略全体が野菜室４の前面に開口した状態であり、具体的には、容器３０の上面開口の後端縁が、野菜室４の前面開口縁と略同じ位置、即ち、上方の断熱仕切り壁９の前端縁に略対応した状態である。この第１の引き出し位置は、容器３０に対する野菜や果物の通常の出し入れを行なうことができる状態であり、余分な引き出しによって生じる冷気漏れが抑制できる。
【００３５】
また、冷気漏れの抑制効果を向上させるためには、この第１の引き出し位置で、容器３０に対する野菜や果物の通常の出し入れを行なうことができる範囲において、容器３０の上面開口の後部分が野菜室４の前面に開口しない状態とすればよい。具体的には、容器３０の上面開口の後端縁が、上方の断熱仕切り壁９の前端縁より後方に位置した状態とすれば、野菜室４の上面開口に一部分が断熱仕切り壁９によって覆われた状態となるため、冷気漏れの抑制効果を向上させることができる。
【００３６】
また、この第１の引き出し位置から更に安定状態が保たれる範囲において、容器３０の上面開口が冷蔵庫１の前方へ大きく開口した状態となる第２の引き出し位置、または第３の引き出し位置まで一定長さ引き出せるようにしている。このため、大きな西瓜等の出し入れにおいて極めて便利である。また、この第２の引き出し位置、または第３の引き出し位置において、容器３０を左右の支持部材１１から上方へ持ち上げることによって、取り外すことができる。
【００３７】
本発明は、更に、ストッパ部１７が固定側ローラ１２に当接して第２支持レール部材１１Ｂの前方移動が停止した第１の引き出し位置（図８）において、前面扉４Ｄを持ち上げることによって、前後方向レール１３上の可動側ローラ１６を支点とした扉４Ｄの持ち上げが行なわれ、ストッパ部１７が固定側ローラ１２を乗り越える高さまで持ち上げられた状態で、扉４Ｄを前方へ引くことによって、扉４Ｄは左右の支持部材１１とそれに載置した容器３０と共に前方へ取り出すことができる。このため、容器３０を取り外して、容器３０の水洗いや野菜室４の底面の清掃等が容易に行なえるようになる。
【００３８】
上記では、貯蔵室が野菜室４である場合の引き出し装置についての説明であるが、冷凍室５Ｓの容器の引き出し装置、または冷凍室５Ｂの容器の引き出し装置についても同様の構成でもって適用できる。
【産業上の利用可能性】
【００３９】
本発明は、技術的範囲を逸脱しない限り種々の形態の冷蔵庫に摘要できるものであり、上部貯蔵室と下部貯蔵室が実施例の形態に限らず、冷蔵室、冷凍室、野菜室、その他の用途室の組み合わせであっても、何ら差し支えなく、各種の形態に適用可能である。
【図面の簡単な説明】
【００４０】
【図１】本発明に係る冷蔵庫の正面図である。（実施例１）
【図２】本発明に係る冷蔵庫の野菜室部分の分解斜視図である。（実施例１）
【図３】本発明に係る引き出し装置が第２引き出し位置から第３引き出し位置へ向かう途中状態を示す斜視図である。（実施例１）
【図４】本発明に係る引き出し装置の動作状態説明図であり、（Ａ）は第１引き出し位置の状態図、（Ｂ）は第１引き出し位置から第２引き出し位置へ向けて引き出した状態図、（Ｃ）は第３引き出し位置の状態図である。（実施例１）
【図５】本発明に係る第１支持レール部材と第２支持レール部材の組み合わせ状態図である。（実施例１）
【図６】本発明に係る支持装置の図４（Ｂ）のＭ１相当の第２引き出し位置における断面図である。（実施例１）
【図７】本発明に係る支持装置の図４（Ａ）のＭ２相当の断面図である。（実施例１）
【図８】本発明に係る冷蔵庫の扉を第１位置まで引き出した状態を説明する側面図である。（実施例１）
【図９】本発明に係る冷蔵庫の扉を第２引き出し位置または第３引き出し位置まで引き出した状態を説明する側面図である。（実施例１）
【符号の説明】
【００４１】
１・・・・冷蔵庫
２・・・・冷蔵庫本体
２Ａ・・・外箱（外壁板）
２Ｂ・・・内箱（内壁板）
２Ｃ・・・発泡断熱材
３・・・・冷蔵室
４・・・・野菜室
４Ｄ・・・引き出し式扉
５Ｂ・・・大きい冷凍室
５Ｓ・・・小さい冷凍室
６・・・・製氷室
７・・・・第１容器
７Ａ・・・第２容器
７Ｂ・・・第３容器
７Ａ１・・フランジ部
７Ａ２・・フランジ部
７ＢＦ・・フランジ部
７Ｆ・・・フランジ部
８・・・・下部貯蔵室扉
９・・・・テーブル
１０・・・支持装置
１１・・・支持部材
１１Ａ・・第１支持レール部材
１１Ｂ・・第２支持レール部材
１２・・・固定側ローラ
１３・・・前後方向レール
１３Ａ・・補助レール部
１４・・・コイルスプリング
１５・・・容器支持腕
１６・・・可動側ローラ
１７・・・保持基材
１７Ａ・・レール部
１８・・・係止ピン
１９・・・ガイド溝
２０・・・係止凹部
２１・・・係止溝
２２・・・復帰傾斜部
２３・・・係止ピン１８用逃げ溝
２４・・・保持棒
２６・・・ボールベアリング
２８・・・レール部材
３０・・・容器
Ｐ・・・・ストッパ装置
ＰＰ・・・ストッパ装置
Ｑ・・・・ストッパ装置
【図１】
2008138935.tif 000003
【図２】
2008138935.tif 000004
【図３】
2008138935.tif 000005
【図４】
2008138935.tif 000006
【図５】
2008138935.tif 000007
【図６】
2008138935.tif 000008
【図７】
2008138935.tif 000009
【図８】
2008138935.tif 000010
【図９】
2008138935.tif 000011